(57)【特許請求の範囲】
【請求項１】
フィルタをフィルタ押さえ装置によってフィルタ用枠の受け部材側に押して固定する空調用フィルタ装置であって、
フィルタ押さえ装置は、押え用ハンドルがハンドル支持部材に設けられ、
押え用ハンドルに押圧面が設けられ、
押え用ハンドルは、フィルタを固定するフィルタ固定位置とフィルタの固定を解除するフィルタ固定解除位置とに回動自在であり、且つ、押圧面がフィルタの前方へ離間する回動阻止解除位置と押圧面がフィルタの前面よりも後方に退入する退入位置とに移動自在であり、
押え用ハンドルがフィルタ固定位置にある場合、フィルタが受け部材と押え用ハンドルに設けられた押圧面との間に挟持され、
押え用ハンドルがフィルタ固定解除位置にある場合、押圧面がフィルタから退避し、
押え用ハンドルを受け部材の側へ付勢する付勢部材と、押え用ハンドルの回動を退入位置においてフィルタ固定解除位置に固定する回動阻止手段とが備えられており、
押え用ハンドルとハンドル支持部材とが付勢部材の付勢により係合し、
回動阻止手段は押え用ハンドルとハンドル支持部材とに設けられ、
回動阻止手段は、フィルタから離間した状態で、押え用ハンドルをフィルタ固定解除位置に固定可能であることを特徴とする空調用フィルタ装置。
【請求項２】
回動阻止手段は押え用ハンドルの回動をフィルタ固定位置において固定することを特徴とする請求項１記載の空調用フィルタ装置。
【請求項３】
ハンドル支持部材は複数のフィルタ間に設けられ、
押え用ハンドルがフィルタ固定位置にある場合、ハンドル支持部材の両側方のフィルタが受け部材と押え用ハンドルの押圧面との間に挟持され、
押え用ハンドルがフィルタ固定解除位置にある場合、押圧面がハンドル支持部材の両側のフィルタから退避することを特徴とする請求項１又は請求項２記載の空調用フィルタ装置。
【請求項４】
付勢部材の付勢力に抗して押え用ハンドルを回動阻止解除位置まで引き出すことによって、回動阻止手段による押え用ハンドルの固定が解除されることを特徴とする請求項１から請求項３のいずれか１項に記載の空調用フィルタ装置。
【請求項５】
押え用ハンドルは、取っ手部材と、取っ手部材に設けられた軸部材とを有し、
軸部材は、ハンドル支持部材に形成された回動阻止用孔部に軸心方向に移動自在に挿通され、且つ、回動を許容する回動許容部と回動を阻止する回動阻止部とを有し、
回動阻止用孔部は孔部周縁に孔側係合部を有し、
軸部材の回動許容部は、軸心から軸外縁までの最大距離が軸心から前記孔側係合部までの距離よりも短く形成され、
軸部材の回動阻止部は、軸心から軸外縁までの最大距離が軸心から前記孔側係合部までの距離より長く且つ前記孔側係合部に回動方向において係合する軸側係合部を有し、
押さえハンドルの軸心方向の移動によって、回動許容部または回動阻止部が回動阻止用孔部に嵌め込まれ、
回動阻止手段は回動阻止部の軸側係合部と回動阻止用孔部の孔側係合部とからなることを特徴とする請求項４記載の空調用フィルタ装置。
【発明の詳細な説明】
【技術分野】
【０００１】
本発明は、フィルタをフィルタ押え装置によって固定する空調用フィルタ装置に関する。
【背景技術】
【０００２】
従来、この種の空調用フィルタ装置は、フィルタを固定するためのフィルタ押え装置を有している。フィルタ押え装置としては、例えば、図２０〜図２２に示すように、フィルタ１１を受け具１２に押し付けて固定するものがある。受け具１２には軸部材１３が立設され、受け具１２とともにフィルタ１１を挟持する締付板１４が軸部材１３に挿通されている。軸部材１３には、締付板１４を受け具１２側へ付勢するスプリング１５が外嵌されている。
【０００３】
締付板１４は、フィルタ１１を固定する固定位置Ａと、フィルタ１１の固定を解除する固定解除位置Ｂとに回動自在である。図２０，図２２の実線に示すように、締付板１４が固定位置Ａにある場合、フィルタ１１が受け具１２と締付板１４との間に挟持され、図２１，図２２の仮想線に示すように、締付板１４が固定解除位置Ｂにある場合、締付板１４がフィルタ１１から外れて退避する。
【０００４】
これによると、フィルタ１１を取り替える場合、図２１，図２２の仮想線に示すように、作業者は締付板１４を固定位置Ａから固定解除位置Ｂへ回動させる。これにより、締付板１４がフィルタ１１から外れて退避し、フィルタ１１を受け具１２から離脱させて取り替えることができる。
【０００５】
取り替えたフィルタ１１を受け具１２側に押し当て、図２０，図２２の実線に示すように、締付板１４を固定解除位置Ｂから固定位置Ａへ回動させることにより、フィルタ１１が受け具１２と締付板１４との間に挟持される。
【０００６】
尚、上記のような構成を有するフィルタ押え装置１６は例えば下記特許文献１に記載されている。
また、下記特許文献２には、フィルタをフィルタ取付フレームに装着するフィルタ締付装置が記載されている。フィルタ取付フレームには、ばねを内蔵したばね筒が設けられている。ばねは、ばね筒の内側端面と、ばね筒の内面を移動可能とした摺動板との間に挟まれている。引張棒がばね筒を貫通して配設され、引張棒の一端が摺動板に固定されている。また、引張棒の他端には、フィルタのフィルタ枠に引掛けるための鈎形部が形成されている。これによると、ばねの付勢力によって、摺動板がフィルタ取付フレーム側に付勢され、フィルタがフィルタ取付フレームに押圧されて密着する。
【特許文献１】実開平６−４１８１８
【特許文献２】特開平９−２２５２３３
【発明の開示】
【発明が解決しようとする課題】
【０００７】
しかしながら上記の従来形式では、図２１，図２２の仮想線で示すように、締付板１４を固定解除位置Ｂにしてフィルタ１１の取り替え作業を行っているとき、古いフィルタ１１を取り外した後、新しいフィルタ１１に取り替える前に、作業者が誤って締付板１４に接触し、締付板１４が不用意に固定解除位置Ｂから固定位置Ａへ回動してしまうといった問題がある。この場合、締付板１４を固定位置Ａから固定解除位置Ｂへ戻してから、新しいフィルタ１１に取り替えなければならず、取り替え作業に手間がかかる。
【０００８】
また、図２０，図２２の実線で示すように、締付板１４を固定位置Ａにして、フィルタ１１を受け具１２と締付板１４との間で挟持しているとき、スプリング１５の付勢力が弱いと、振動等によって締付板１４が不用意に固定位置Ａから固定解除位置Ｂに回動してフィルタ１１から外れ、フィルタ１１の固定が勝手に解除されてしまうといった問題がある。
【０００９】
また、上記特許文献２に示されたフィルタ締付装置では、引張棒の鈎形部の先端がフィルタに食い込むため、フィルタが損傷する虞れがある。
本発明は、振動等によってフィルタの固定が勝手に解除されてしまうのを防止することができ、また、フィルタの取り替え作業が迅速に行える空調用フィルタ装置を提供することを目的とする。
【課題を解決するための手段】
【００１０】
上記目的を達成するために本第１発明は、フィルタをフィルタ押さえ装置によってフィルタ用枠の受け部材側に押して固定する空調用フィルタ装置であって、
フィルタ押さえ装置は、押え用ハンドルがハンドル支持部材に設けられ、
押え用ハンドルに押圧面が設けられ、
押え用ハンドルは、フィルタを固定するフィルタ固定位置とフィルタの固定を解除するフィルタ固定解除位置とに回動自在であり、且つ、押圧面がフィルタの前方へ離間する回動阻止解除位置と押圧面がフィルタの前面よりも後方に退入する退入位置とに移動自在であり、
押え用ハンドルがフィルタ固定位置にある場合、フィルタが受け部材と押え用ハンドルに設けられた押圧面との間に挟持され、
押え用ハンドルがフィルタ固定解除位置にある場合、押圧面がフィルタから退避し、
押え用ハンドルを受け部材の側へ付勢する付勢部材と、押え用ハンドルの回動を退入位置においてフィルタ固定解除位置に固定する回動阻止手段とが備えられており、
押え用ハンドルとハンドル支持部材とが付勢部材の付勢により係合し、
回動阻止手段は押え用ハンドルとハンドル支持部材とに設けられ、
回動阻止手段は、フィルタから離間した状態で、押え用ハンドルをフィルタ固定解除位置に固定可能であるものである。
【００１１】
これによると、フィルタを取り替える場合、押え用ハンドルをフィルタ固定位置からフィルタ固定解除位置に回動させる。これにより、押え用ハンドルの押圧面がフィルタから外れて退避し、フィルタの固定が解除されるため、フィルタを取り外して、新しいフィルタに取り替えることができる。
【００１２】
この際、押え用ハンドルの回動は回動阻止手段によってフィルタ固定解除位置に固定されている。このため、古いフィルタを取り外した後、新しいフィルタに取り替える前に、作業者が誤って押え用ハンドルに接触しても、押え用ハンドルは、不用意にフィルタ固定解除位置からフィルタ固定位置へ回動してしまうことはなく、フィルタ固定解除位置に保たれる。これにより、フィルタの取り替え作業が支障なく迅速に行える。
【００１３】
その後、取り替えたフィルタを受け部材側に押し当て、回動阻止手段による押え用ハンドルの固定を解除して、押え用ハンドルをフィルタ固定解除位置からフィルタ固定位置へ回動させることにより、フィルタが受け部材と押え用ハンドルの押圧面との間に挟持される。この際、押え用ハンドルの押圧面でフィルタを押えているため、フィルタの損傷を防止することができる。
【００１４】
本第２発明は、回動阻止手段は押え用ハンドルの回動をフィルタ固定位置において固定するものである。
これによると、押え用ハンドルをフィルタ固定位置へ回動させた際、フィルタ固定位置において押え用ハンドルの回動は回動阻止手段によって固定されるため、振動等によって押え用ハンドルが不用意にフィルタ固定位置からフィルタ固定解除位置に回動して押圧面がフィルタから外れてしまうことはなく、フィルタの固定が勝手に解除されてしまうのを確実に防止することができる。
【００１５】
本第３発明は、ハンドル支持部材は複数のフィルタ間に設けられ、
押え用ハンドルがフィルタ固定位置にある場合、ハンドル支持部材の両側方のフィルタが受け部材と押え用ハンドルの押圧面との間に挟持され、
押え用ハンドルがフィルタ固定解除位置にある場合、押圧面がハンドル支持部材の両側のフィルタから退避するものである。
【００１６】
これによると、ハンドル支持部材の両側方のフィルタを共通の押え用ハンドルで固定することができるため、フィルタの数量に対するフィルタ押え装置の数量を削減することができる。
【００１７】
本第４発明は、付勢部材の付勢力に抗して押え用ハンドルを回動阻止解除位置まで引き出すことによって、回動阻止手段による押え用ハンドルの固定が解除されるものである。
これによると、押え用ハンドルを回動阻止解除位置まで引き出すことによって、押え用ハンドルの固定が解除され、この状態で、押え用ハンドルをフィルタ固定位置とフィルタ固定解除位置とに回動することができる。
【００１８】
本第５発明は、押え用ハンドルは、取っ手部材と、取っ手部材に設けられた軸部材とを有し、
軸部材は、ハンドル支持部材に形成された回動阻止用孔部に軸心方向に移動自在に挿通され、且つ、回動を許容する回動許容部と回動を阻止する回動阻止部とを有し、
回動阻止用孔部は孔部周縁に孔側係合部を有し、
軸部材の回動許容部は、軸心から軸外縁までの最大距離が軸心から前記孔側係合部までの距離よりも短く形成され、
軸部材の回動阻止部は、軸心から軸外縁までの最大距離が軸心から前記孔側係合部までの距離より長く且つ前記孔側係合部に回動方向において係合する軸側係合部を有し、
押さえハンドルの軸心方向の移動によって、回動許容部または回動阻止部が回動阻止用孔部に嵌め込まれ、
回動阻止手段は回動阻止部の軸側係合部と回動阻止用孔部の孔側係合部とからなるものである。
【００１９】
これによると、押え用ハンドルが付勢部材の付勢力によって回動阻止解除位置よりも受け部材側に近い奥側へ押し込まれている状態では、軸部材の回動阻止部が回動阻止用孔部に嵌まり込んで、軸側係合部が軸部材の回動方向において孔側係合部に係合する。これにより、軸部材の回動が阻止されるため、押え用ハンドルの回動が固定される。
【００２０】
また、押え用ハンドルを回動阻止解除位置まで引き出した場合、軸部材の回動阻止部が回動阻止用孔部から脱抜されるとともに回動許容部が回動阻止用孔部に嵌め込まれる。これにより、軸側係合部が孔側係合部から離脱するため、軸部材の回動が可能となり、押え用ハンドルを回動することができる。
【発明の効果】
【００２１】
以上のように、本発明では、フィルタの取り替え作業中、押え用ハンドルの回動は回動阻止手段によってフィルタ固定解除位置に固定されるため、作業者が誤って押え用ハンドルに接触しても、押え用ハンドルは、不用意にフィルタ固定解除位置からフィルタ固定位置へ回動してしまうことはなく、フィルタ固定解除位置に保たれる。これにより、取り替え作業が支障なく迅速に行える。
【００２２】
フィルタを受け部材側に押し当て、回動阻止手段による押え用ハンドルの固定を解除して、押え用ハンドルをフィルタ固定解除位置からフィルタ固定位置へ回動させることにより、フィルタが受け部材と押え用ハンドルの押圧面との間に挟持される。フィルタ固定位置において押え用ハンドルの回動は回動阻止手段によって固定されるため、振動等によって押え用ハンドルが不用意にフィルタ固定位置からフィルタ固定解除位置に回動することはなく、フィルタの固定が勝手に解除されてしまうのを確実に防止することができる。
【発明を実施するための最良の形態】
【００２３】
以下、本発明における第１の実施の形態について図面に基づいて説明する。
図１に示すように、３１は空気調和機であり、その本体ケーシング３２は、外部空気が流入する外気流入口３３と供給空気を送出する送気口３４との間に、上流側から下流側へ順次に、フィルタ室３５、加湿器室３６、コイル室３７、送風機室３８を有している。
【００２４】
フィルタ室３５の内部には空調用のフィルタ装置４１が設けられ、加湿器室３６の内部には蒸気コイル４２が設けられ、コイル室３７の内部には冷却コイル４３と再熱コイル４４とが設けられ、送風機室３８の内部にはモータ４５で駆動される送風機４６が設けられている。
【００２５】
図２に示すように、上記フィルタ装置４１は、フィルタ用枠４９と、フィルタ用枠４９に収納される複数のフィルタ５０とを有している。図３に示すように、フィルタ用枠４９は、フィルタ５０を乗せる乗せ台５１と、乗せ台５１に立設された複数の仕切板５２（ハンドル支持部材の一例）と、各仕切板５２の上端前部に連結された連結部材５３と、乗せ台５１に立設されて仕切板５２の後側に位置する枠フレーム体５４とを有している。
【００２６】
枠フレーム体５４は、上下方向に長いチャンネル状の複数の受け部材５５を有している。各仕切板５２の後端部（奥端部）は各受け部材５５に連結されている。各仕切板５２間には、フィルタ５０を収納する収納空間５６が形成されており、仕切板５２はフィルタ５０を左右方向（幅方向）において固定するガイド部の役割も兼ねている。
【００２７】
図３，図４に示すように、仕切板５２は、その前端部に直角に屈曲された前板部５８と、前板部５８の側端から後方（奥方）へ屈曲した屈曲板部５９と、前板部５８の後方（奥方）に形成された上下複数の奥板部６０とからなる。
【００２８】
図２，図４に示すように、フィルタ５０は、四角箱型状の中性能フィルタ部材６１と、中性能フィルタ部材６１の上流側前面に重ね合わせられたプレフィルタ部材６２とからなる。複数のフィルタ５０は上下に積み重ねられて収納空間５６に収納されている。尚、中性能フィルタ部材６１と受け部材５５との間にはパッキン６３が設けられている。
【００２９】
各仕切板５２には、各フィルタ５０を受け部材５５の側に押して固定するフィルタ押え装置６５が複数設けられている。
図４，図５に示すように、フィルタ押え装置６５は、フィルタ５０を固定するフィルタ固定位置Ａとフィルタ５０の固定を解除するフィルタ固定解除位置Ｂとに回動自在な押え用ハンドル６６と、押え用ハンドル６６を受け部材５５の側（後側）へ付勢するコイル状のスプリング６７（付勢部材の一例）と、押え用ハンドル６６の回動をフィルタ固定位置Ａとフィルタ固定解除位置Ｂとにおいて固定する回動阻止手段６８とを有している。
【００３０】
図４〜図６に示すように、押え用ハンドル６６は、軸部材６９と、軸部材６９の前端に設けられた角座部７０と、角座部７０に設けられた環状の取っ手部材７１とを有している。取っ手部材７１は、仕切板５２の左右両側方に収納されたフィルタ５０を後方へ押圧する平坦な押圧面７２を有している。
【００３１】
軸部材６９は、仕切板５２の前板部５８に形成された孔部７３と奥板部６０に形成された回動阻止用孔部７４とに、回動自在且つ軸心方向へ移動自在に挿通されている。尚、孔部７３は円形状である。また、図７に示すように、回動阻止用孔部７４は、四角形状であり、孔部周縁に四つの平坦な孔側係合面７５（孔側係合部の一例）を有している。
【００３２】
図４，図６に示すように、スプリング６７は、軸部材６９に外嵌されており、前板部５８と軸部材６９に取り付けられた止め輪８０との間に保持されている。
図４，図７に示すように、軸部材６９は、軸部材６９の回動を許容する回動許容部７７と、軸部材６９の回動を阻止する回動阻止部７８とを有している。回動許容部７７は、断面円形状であり、軸部材６９の後端に形成されている。尚、軸部材６９の回動許容部７７の半径Ｒ（軸心から軸外縁までの最大距離の一例）は、軸部材６９の軸心から孔側係合面７５までの最短距離Ｓよりも短く形成されている。
また、回動阻止部７８は、回動許容部７７の前隣に形成され、外周に四つの平坦な軸側係合面７９（軸側係合部の一例）を形成した四角形状の断面を有する。これら軸側係合面７９は軸部材６９の回動方向において孔側係合面７５に係合する。尚、軸部材６９の回動阻止部７８の軸心から軸外縁までの最大距離Ｔは、軸部材６９の軸心から孔側係合面７５までの最短距離Ｓよりも長く形成されている。
上記回動阻止手段６８は回動阻止部７８の軸側係合面７９と回動阻止用孔部７４の孔側係合面７５とで構成されている。
【００３３】
図８に示すように、押え用ハンドル６６は、角座部７０が仕切板５２の前板部５８に当接する退入位置Ｃ（図８（ｃ）参照）と、角座部７０が前板部５８の前方へ離間するとともに押圧面７２がプレフィルタ部材６２の前方へ離間する回動阻止解除位置Ｄ（図８（ｂ）参照）との間で、軸部材６９の軸心方向（前後方向）へ移動自在に構成されている。尚、押え用ハンドル６６はスプリング６７の付勢力によって回動阻止解除位置Ｄから退入位置Ｃに向かって付勢されている。
【００３４】
図８（ｃ）に示すように、押え用ハンドル６６が退入位置Ｃにある場合、図７（ａ）に示すように、軸部材６９の回動阻止部７８が回動阻止用孔部７４に嵌まり込む。また、図８（ｂ）に示すように、押え用ハンドル６６が回動阻止解除位置Ｄにある場合、図７（ｂ）に示すように、軸部材６９の回動許容部７７が回動阻止用孔部７４に嵌まり込む。さらに、図８（ａ）に示すように、押え用ハンドル６６が退入位置Ｃと回動阻止解除位置Ｄとの中間位置にあり、押圧面７２がプレフィルタ部材６２に当接している場合も、図７（ａ）に示すように、軸部材６９の回動阻止部７８が回動阻止用孔部７４に嵌まり込む。
【００３５】
以下、上記構成における作用を説明する。
フィルタ５０がフィルタ用枠４９の収納空間５６に収納され、図４，図５の実線，図８（ａ）に示すように、押え用ハンドル６６がフィルタ固定位置Ａにある場合、押え用ハンドル６６の押圧面７２が、仕切板５２の両側方にあるプレフィルタ部材６２に当接し、スプリング６７の付勢力によってプレフィルタ部材６２を受け部材５５の側（後方）に向けて押圧する。これにより、仕切板５２の両側方にあるフィルタ５０が、同時に、共通の押え用ハンドル６６の押圧面７２と受け部材５５との間に挟持されて固定される。
【００３６】
この際、軸部材６９の回動阻止部７８が回動阻止用孔部７４に嵌まり込むため、図７（ａ）に示すように、回動阻止部７８の軸側係合面７９が軸部材６９の回動方向において回動阻止用孔部７４の孔側係合面７５に係合し、押え用ハンドル６６の回動が阻止される。これにより、押え用ハンドル６６がフィルタ固定位置Ａに固定され、振動等によって押え用ハンドル６６が不用意にフィルタ固定位置Ａからフィルタ固定解除位置Ｂに回動してフィルタ５０から外れることはなく、両フィルタ５０の固定が勝手に解除されてしまうのを確実に防止することができる。
【００３７】
また、プレフィルタ部材６２を押圧している押え用ハンドル６６の押圧面７２は平坦であるため、プレフィルタ部材６２の損傷を防止することができる。
また、フィルタ５０を取り替える場合、図８（ｂ）に示すように、先ず、作業者は、取っ手部材７１を手前に引き、スプリング６７の付勢力に抗して、押え用ハンドル６６を回動阻止解除位置Ｄまで引き出す。これにより、軸部材６９の回動阻止部７８が回動阻止用孔部７４から脱抜され、軸側係合面７９が孔側係合面７５から離脱するとともに、図７（ｂ）に示すように、回動許容部７７が回動阻止用孔部７４に嵌まり込むため、押え用ハンドル６６の回動阻止が解除される。この状態で、図５の仮想線で示すように、押え用ハンドル６６をフィルタ固定位置Ａからフィルタ固定解除位置Ｂまで９０°回動させる。
【００３８】
これにより、押え用ハンドル６６の押圧面７２が仕切板５２の両側方のフィルタ５０から外れて退避する。そして、フィルタ固定解除位置Ｂにおいて、作業者が取っ手部材７１から手を離すと、図８（ｃ）に示すように、押え用ハンドル６６は、スプリング６７の付勢力によって、回動阻止解除位置Ｄから退入位置Ｃまで移動する。
【００３９】
これにより、仕切板５２の両側方のフィルタ５０の固定が同時に解除され、作業者は古いフィルタ５０を収納空間５６から取り外し、新しいフィルタ５０を収納空間５６に収納することができる。
【００４０】
この際、軸部材６９の回動許容部７７が回動阻止用孔部７４から脱抜され、図７（ａ）に示すように、回動阻止部７８が回動阻止用孔部７４に嵌まり込むため、押え用ハンドル６６の回動が阻止されてフィルタ固定解除位置Ｂに固定される。これにより、古いフィルタ５０を取り外した後、新しいフィルタ５０に取り替える前に、作業者が誤って押え用ハンドル６６に接触しても、押え用ハンドル６６は、不用意にフィルタ固定解除位置Ｂからフィルタ固定位置Ａへ回動してしまうことはなく、フィルタ固定解除位置Ｂに保たれる。これにより、取り替え作業が支障なく迅速に行える。
【００４１】
取り替え後、作業者は、押え用ハンドル６６を回動阻止解除位置Ｄまで引き出し、この状態で、図８（ｂ）に示すように、押え用ハンドル６６をフィルタ固定解除位置Ｂからフィルタ固定位置Ａまで９０°回動させ、その後、スプリング６７の付勢力によって押え用ハンドル６６を回動阻止解除位置Ｄから退入位置Ｃに向けて移動させる。
【００４２】
これにより、図８（ａ）に示すように、押え用ハンドル６６の押圧面７２がプレフィルタ部材６２に当接し、仕切板５２の両側方にあるフィルタ５０が共通の押え用ハンドル６６と受け部材５５との間に挟持されて固定される。
【００４３】
尚、仕切板５２の両側方のフィルタ５０を共通の押え用ハンドル６６で固定することができるため、フィルタ５０の数量に対するフィルタ押え装置６５の数量を削減することができる。
【００４４】
また、各仕切板５２間に複数のフィルタ５０を積み上げて収納し、収納されたフィルタ５０の左右両端部をフィルタ押え装置６５で押圧することでフィルタ５０を固定することができる。このため、フィルタ５０の上下両端部をフィルタ押え装置６５で押圧する必要はなく、これにより、フィルタ押え装置６５の数量を削減することもでき、フィルタ５０の交換作業が容易になる。
【００４５】
上記実施の形態では、図７（ａ）に示すように、回動阻止用孔部７４は断面が四角形であるが、四角形以外の多角形や楕円、周縁部に凹凸を設けたものなど、正円でない形状であればよい。同様に、回動阻止部７８は断面が四角形であるが、四角形に限定されるものではなく、四角形以外の多角形などでもよい。
【００４６】
上記回動阻止手段６８は回動阻止部７８の軸側係合面７９と回動阻止用孔部７４の孔側係合面７５とで構成されているが、このような構成に限定されるものではなく、例えば下記第２〜第５の実施の形態に示すようなものであってもよい。
【００４７】
第２の実施の形態では、図９〜図１１に示すように、回動阻止手段８４は、押え用ハンドル６６の回動をフィルタ固定解除位置Ｂにおいて固定するものであり、凸部８５と凹部８６とからなる。凸部８５は仕切板５２の前板部５８の１８０°振り分けられた２箇所に設けられ、凹部８６は押え用ハンドル６６の角座部７０の１８０°振り分けられた２箇所に設けられている。
【００４８】
図９の実線で示すように、押え用ハンドル６６が退入位置Ｃにある場合、凸部８５が凹部８６に嵌合し、図９の仮想線で示すように、押え用ハンドル６６が回動阻止解除位置Ｄにある場合、凸部８５が凹部８６から離脱する。
【００４９】
以下、上記構成における作用を説明する。
フィルタ５０を取り替える場合、図９の仮想線で示すように、先ず、作業者は押え用ハンドル６６を回動阻止解除位置Ｄまで手前に引き出し、この状態で、押え用ハンドル６６をフィルタ固定位置Ａからフィルタ固定解除位置Ｂまで９０°回動させる。
【００５０】
これにより、押え用ハンドル６６の取っ手部材７１が仕切板５２の両側方のフィルタ５０から外れて退避する。そして、フィルタ固定解除位置Ｂにおいて、作業者が取っ手部材７１から手を離すと、図９の実線で示すように、押え用ハンドル６６は、スプリング６７の付勢力によって、回動阻止解除位置Ｄから退入位置Ｃまで移動する。
【００５１】
これにより、仕切板５２の両側方のフィルタ５０の固定が同時に解除され、作業者は古いフィルタ５０を収納空間５６から取り外し、新しいフィルタ５０を収納空間５６に収納することができる。
【００５２】
この際、回動阻止手段８４の凸部８５が凹部８６に嵌合するため、押え用ハンドル６６の回動が阻止されてフィルタ固定解除位置Ｂに固定される。これにより、古いフィルタ５０を取り出した後、新しいフィルタ５０に取り替える前に、作業者が誤って押え用ハンドル６６に接触しても、押え用ハンドル６６は、不用意にフィルタ固定解除位置Ｂからフィルタ固定位置Ａへ回動してしまうことはなく、フィルタ固定解除位置Ｂに保たれ、取り替え作業が支障なく迅速に行える。
【００５３】
取り替え後、図９の仮想線で示すように、作業者が押え用ハンドル６６を回動阻止解除位置Ｄまで引き出すことにより、回動阻止手段８４の凸部８５が凹部８６から離脱するため、押え用ハンドル６６の回動阻止が解除される。この状態で、作業者は押え用ハンドル６６をフィルタ固定解除位置Ｂからフィルタ固定位置Ａまで９０°回動させ、その後、スプリング６７の付勢力によって押え用ハンドル６６を回動阻止解除位置Ｄから退入位置Ｃに向けて移動させる。
【００５４】
これにより、押え用ハンドル６６の押圧面７２がプレフィルタ部材６２に当接し、仕切板５２の両側方にあるフィルタ５０が共通の押え用ハンドル６６と受け部材５５との間に挟持されて固定される。
【００５５】
尚、上記実施の形態では、凸部８５を仕切板５２に設け、凹部８６を押え用ハンドル６６に設けているが、凸部８５を押え用ハンドル６６に設け、凹部８６を仕切板５２に設けてもよい。
【００５６】
また、第３の実施の形態では、図１２〜図１４に示すように、回動阻止手段８９は、押え用ハンドル６６の回動をフィルタ固定解除位置Ｂにおいて固定するものであり、複数の凸部９０ａ，９０ｂ，９１からなる。このうち、一対の凸部９０ａ，９０ｂは仕切板５２の前板部５８の１８０°振り分けられた２箇所に設けられている。また、凸部９１は押え用ハンドル６６の角座部７０の１８０°振り分けられた２箇所に設けられている。
【００５７】
図１２の実線で示すように、押え用ハンドル６６が退入位置Ｃにある場合、ハンドル側の凸部９１が仕切板側の一対の凸部９０ａ，９０ｂ間に嵌合し、図１２の仮想線で示すように、押え用ハンドル６６が回動阻止解除位置Ｄにある場合、ハンドル側の凸部９１が仕切板側の一対の凸部９０ａ，９０ｂ間から離脱する。
【００５８】
以下、上記構成における作用を説明する。
フィルタ５０を取り替える場合、図１２の仮想線で示すように、先ず、作業者は押え用ハンドル６６を回動阻止解除位置Ｄまで手前に引き出し、この状態で、押え用ハンドル６６をフィルタ固定位置Ａからフィルタ固定解除位置Ｂまで９０°回動させる。
【００５９】
これにより、押え用ハンドル６６の取っ手部材７１が仕切板５２の両側方のフィルタ５０から外れて退避する。そして、フィルタ固定解除位置Ｂにおいて、作業者が取っ手部材７１から手を離すと、図１２の実線で示すように、押え用ハンドル６６は、スプリング６７の付勢力によって、回動阻止解除位置Ｄから退入位置Ｃまで移動する。
【００６０】
これにより、仕切板５２の両側方のフィルタ５０の固定が同時に解除され、作業者は古いフィルタ５０を収納空間５６から取り外し、新しいフィルタ５０を収納空間５６に収納することができる。
【００６１】
この際、回動阻止手段８４のハンドル側の凸部９１が仕切板側の一対の凸部９０ａ，９０ｂ間に嵌合するため、押え用ハンドル６６の回動が阻止されてフィルタ固定解除位置Ｂに固定される。これにより、古いフィルタ５０を取り外した後、新しいフィルタ５０に取り替える前に、作業者が誤って押え用ハンドル６６に接触しても、押え用ハンドル６６は、不用意にフィルタ固定解除位置Ｂからフィルタ固定位置Ａへ回動してしまうことはなく、フィルタ固定解除位置Ｂに保たれ、取り替え作業が支障なく迅速に行える。
【００６２】
取り替え後、図１２の仮想線で示すように、作業者が押え用ハンドル６６を回動阻止解除位置Ｄまで引き出すことにより、回動阻止手段８４のハンドル側の凸部９１が仕切板側の一対の凸部９０ａ，９０ｂ間から離脱するため、押え用ハンドル６６の回動阻止が解除される。この状態で、作業者は押え用ハンドル６６をフィルタ固定解除位置Ｂからフィルタ固定位置Ａまで９０°回動させ、その後、スプリング６７の付勢力によって押え用ハンドル６６を回動阻止解除位置Ｄから退入位置Ｃに向けて移動させる。
【００６３】
これにより、押え用ハンドル６６の押圧面７２がプレフィルタ部材６２に当接し、仕切板５２の両側方にあるフィルタ５０が共通の押え用ハンドル６６と受け部材５５との間に挟持されて固定される。
【００６４】
尚、上記実施の形態では、一対の凸部９０ａ，９０ｂを仕切板５２に設け、凸部９１を押え用ハンドル６６に設けているが、一対の凸部９０ａ，９０ｂを押え用ハンドル６６に設け、凸部９１を仕切板５２に設けてもよい。
【００６５】
また、第４の実施の形態では、図１５，図１６に示すように、回動阻止手段９４は回動阻止軸９５と回動阻止孔９６とからなる。回動阻止軸９５は、断面が四角形の角棒であり、仕切板５２に設けられた取付板部９７に取り付けられ、押え用ハンドル６６の後方（奥方）で且つ軸部材６９と同軸心上に位置している。回動阻止孔９６は、断面が四角形の角孔であり、軸部材６９の後端（奥端）に形成されている。
【００６６】
回動阻止軸９５は軸部材６９の軸心方向において回動阻止孔９６に挿脱自在であり、図１５（ｃ）に示すように、押え用ハンドル６６が退入位置Ｃにある場合、回動阻止軸９５が回動阻止孔９６に挿入され、図１５（ｂ）に示すように、押え用ハンドル６６が回動阻止解除位置Ｄにある場合、回動阻止軸９５が回動阻止孔９６から脱抜される。
【００６７】
以下、上記構成における作用を説明する。
フィルタ５０がフィルタ用枠４９の収納空間５６に収納され、図１５（ａ）に示すように、押え用ハンドル６６がフィルタ固定位置Ａにある場合、回動阻止手段９４の回動阻止軸９５が回動阻止孔９６に挿入されていることにより、軸部材６９が回動方向において固定され、押え用ハンドル６６の回動が阻止される。これにより、押え用ハンドル６６がフィルタ固定位置Ａに固定され、振動等によって押え用ハンドル６６が不用意にフィルタ固定位置Ａからフィルタ固定解除位置Ｂに回動することはなく、両フィルタ５０の固定が勝手に解除されてしまうのを確実に防止することができる。
【００６８】
また、フィルタ５０を取り替える場合、図１５（ｂ）に示すように、先ず、作業者は押え用ハンドル６６を回動阻止解除位置Ｄまで手前に引き出す。これにより、回動阻止軸９５が回動阻止孔９６から脱抜され、軸部材６９の回動が許容されて押え用ハンドル６６の回動阻止が解除される。この状態で、押え用ハンドル６６をフィルタ固定位置Ａからフィルタ固定解除位置Ｂまで９０°回動させる。
【００６９】
フィルタ固定解除位置Ｂにおいて、作業者が取っ手部材７１から手を離すと、図１５（ｃ）に示すように、押え用ハンドル６６は、スプリング６７の付勢力によって、回動阻止解除位置Ｄから退入位置Ｃまで移動する。
【００７０】
この際、回動阻止軸９５が回動阻止孔９６に挿入されて、軸部材６９が回動方向において固定され、押え用ハンドル６６の回動が阻止されてフィルタ固定解除位置Ｂに固定される。これにより、古いフィルタ５０を取り外した後、新しいフィルタ５０に取り替える前に、作業者が誤って押え用ハンドル６６に接触しても、押え用ハンドル６６は、不用意にフィルタ固定解除位置Ｂからフィルタ固定位置Ａへ回動してしまうことはなく、フィルタ固定解除位置Ｂに保たれる。これにより、取り替え作業が支障なく迅速に行える。
【００７１】
取り替え後、作業者は、押え用ハンドル６６を回動阻止解除位置Ｄまで引き出し、この状態で、図１５（ｂ）に示すように、押え用ハンドル６６をフィルタ固定解除位置Ｂからフィルタ固定位置Ａまで９０°回動させ、その後、スプリング６７の付勢力によって押え用ハンドル６６を回動阻止解除位置Ｄから退入位置Ｃに向けて移動させる。
【００７２】
これにより、図１５（ａ）に示すように、押え用ハンドル６６の押圧面７２がプレフィルタ部材６２に当接し、仕切板５２の両側方にあるフィルタ５０が共通の押え用ハンドル６６と受け部材５５との間に挟持されて固定される。
【００７３】
上記実施の形態では、回動阻止軸９５を仕切板５２に設け、回動阻止孔９６を押え用ハンドル６６に設けたが、回動阻止軸９５を押え用ハンドル６６に設け、回動阻止孔９６を仕切板５２に設けてもよい。
【００７４】
上記実施の形態では、回動阻止軸９５は断面が四角形の角棒であるが、四角形に限定されるものではなく、四角形以外の多角形でもよい。同様に、回動阻止孔９６は断面が四角形の角孔であるが、四角形以外の多角形でもよい。
【００７５】
また、第５の実施の形態では、図１７，図１８に示すように、回動阻止手段１００は回動阻止軸１０１と係合片１０２と複数の回動阻止部材１０３ａ〜１０３ｄとからなる。回動阻止軸１０１は押え用ハンドル６６の軸部材６９の後端（奥端）に設けられている。係合片１０２は、回動阻止軸１０１の後端（奥端）に設けられ、回動阻止軸１０１の径方向に突出している。
【００７６】
各回動阻止部材１０３ａ〜１０３ｄは、仕切板５２に設けられた取付板部１０５に取り付けられ、押え用ハンドル６６の後方（奥方）に位置しているとともに、押え用ハンドル６６の回動方向において９０°おきに配置されている。押え用ハンドル６６の回動方向において相対向する回動阻止部材１０３ａ〜１０３ｄ間には係合間隙１０４ａ〜１０４ｄが形成されている。
【００７７】
係合片１０２は軸部材６９の軸心方向において各係合間隙１０４ａ〜１０４ｄに挿脱自在であり、図１７（ｃ）に示すように、押え用ハンドル６６が退入位置Ｃにある場合、図１８の仮想線で示すように、係合片１０２が係合間隙１０４ｄ（又は１０４ｂ）に挿入され、押え用ハンドル６６が回動阻止解除位置Ｄにある場合、係合片１０２が係合間隙１０４ａ〜１０４ｄから脱抜される。
【００７８】
以下、上記構成における作用を説明する。
フィルタ５０がフィルタ用枠４９の収納空間５６に収納され、図１７（ａ）に示すように、押え用ハンドル６６がフィルタ固定位置Ａにある場合、図１８の実線で示すように、回動阻止手段１００の係合片１０２が係合間隙１０４ａ（又は１０４ｃ）に挿入されていることにより、軸部材６９が回動方向において固定され、押え用ハンドル６６の回動が阻止される。これにより、押え用ハンドル６６がフィルタ固定位置Ａに固定され、振動等によって押え用ハンドル６６が不用意にフィルタ固定位置Ａからフィルタ固定解除位置Ｂに回動することはなく、両フィルタ５０の固定が勝手に解除されてしまうのを確実に防止することができる。
【００７９】
また、フィルタ５０を取り替える場合、図１７（ｂ）に示すように、先ず、作業者は押え用ハンドル６６を回動阻止解除位置Ｄまで手前に引き出す。これにより、係合片１０２が係合間隙１０４ａ（又は１０４ｃ）から脱抜され、軸部材６９の回動が許容されて押え用ハンドル６６の回動阻止が解除される。この状態で、押え用ハンドル６６をフィルタ固定位置Ａからフィルタ固定解除位置Ｂまで９０°回動させる。
【００８０】
フィルタ固定解除位置Ｂにおいて、作業者が取っ手部材７１から手を離すと、図１７（ｃ）に示すように、押え用ハンドル６６は、スプリング６７の付勢力によって、回動阻止解除位置Ｄから退入位置Ｃまで移動する。
【００８１】
この際、図１８の仮想線で示すように、係合片１０２が係合間隙１０４ｄ（又は１０４ｂ）に挿入されて、軸部材６９が回動方向において固定され、押え用ハンドル６６の回動が阻止されてフィルタ固定解除位置Ｂに固定される。これにより、古いフィルタ５０を取り外した後、新しいフィルタ５０に取り替える前に、作業者が誤って押え用ハンドル６６に接触しても、押え用ハンドル６６は、不用意にフィルタ固定解除位置Ｂからフィルタ固定位置Ａへ回動してしまうことはなく、フィルタ固定解除位置Ｂに保たれる。これにより、取り替え作業が支障なく迅速に行える。
【００８２】
取り替え後、作業者は、押え用ハンドル６６を回動阻止解除位置Ｄまで引き出し、この状態で、押え用ハンドル６６をフィルタ固定解除位置Ｂからフィルタ固定位置Ａまで９０°回動させ、その後、スプリング６７の付勢力によって押え用ハンドル６６を回動阻止解除位置Ｄから退入位置Ｃに向けて移動させる。
【００８３】
これにより、図１７（ａ）に示すように、押え用ハンドル６６の押圧面７２がプレフィルタ部材６２に当接し、仕切板５２の両側方にあるフィルタ５０が共通の押え用ハンドル６６と受け部材５５との間に挟持されて固定される。
【００８４】
上記各実施の形態では、図１に示すように、空気調和機３１の本体ケーシング３２にフィルタ室３５を設けているが、第６の実施の形態として、図１９に示すように、フィルタ室３５を機械室１０７に据え付けられた空気調和機３１から分離して設置し、このフィルタ室３５内にフィルタ装置４１を設け、フィルタ室３５と本体ケーシング３２とを流通路１０８で接続してもよい。また、フィルタ装置４１は空気調和機３１に備えられるものに限定されるものではなく、例えば、部屋１１０内の空気を送風機１１１で循環させる循環流路１１２にフィルタ装置４１を設置してもよい。
【００８５】
上記各実施の形態では、図２に示すように、フィルタ５０は中性能フィルタ部材６１とプレフィルタ部材６２との２種類のフィルタ部材で構成されているが、１種類又は３種類以上の複数種類のフィルタ部材で構成されていてもよい。
【００８６】
上記各実施の形態では、図４に示すように、仕切板５２の両側方のフィルタ５０を共通の押え用ハンドル６６で同時に固定しているが、仕切板５２のいずれか片方のフィルタ５０のみを押え用ハンドル６６で固定してもよい。
【図面の簡単な説明】
【００８７】
【図１】本発明の第１の実施の形態におけるフィルタ装置を備えた空気調和機の側面図である。
【図２】同、フィルタ押え装置を備えたフィルタ装置の図である。
【図３】同、フィルタ装置のフィルタ用枠の分解斜視図である。
【図４】同、フィルタ押え装置の平面図である。
【図５】図４におけるＸ−Ｘ矢視図である。
【図６】図４におけるＹ−Ｙ矢視図である。
【図７】（ａ）は図８（ａ）（ｃ）におけるＸ−Ｘ矢視図であり、（ｂ）は図８（ｂ）におけるＹ−Ｙ矢視図である。
【図８】同、フィルタ押え装置の操作を示す平面図である。
【図９】本発明の第２の実施の形態におけるフィルタ押え装置の平面図である。
【図１０】同、フィルタ押え装置の回動阻止手段の凸部の図である。
【図１１】同、フィルタ押え装置の回動阻止手段の凹部の図である。
【図１２】本発明の第３の実施の形態におけるフィルタ押え装置の平面図である。
【図１３】同、フィルタ押え装置の回動阻止手段の仕切板側の凸部の図である。
【図１４】同、フィルタ押え装置の回動阻止手段の押え用ハンドル側の凸部の図である。
【図１５】本発明の第４の実施の形態におけるフィルタ押え装置の操作を示す平面図である。
【図１６】同、フィルタ押え装置の回動阻止手段の断面図である。
【図１７】本発明の第５の実施の形態におけるフィルタ押え装置の操作を示す平面図である。
【図１８】図１７（ａ）におけるＸ−Ｘ矢視図である。
【図１９】本発明の第６の実施の形態におけるフィルタ装置の設置場所を示す概略平面図である。
【図２０】従来のフィルタ押え装置の正面図であり、フィルタを固定した状態を示す。
【図２１】同、フィルタ押え装置の正面図であり、フィルタの固定を解除した状態を示す。
【図２２】同、フィルタ押え装置の平面図である。
【符号の説明】
【００８８】
４１      フィルタ装置
４９      フィルタ用枠
５０      フィルタ
５２      仕切板（ハンドル支持部材）
５５      受け部材
６５      フィルタ押え装置
６６      押え用ハンドル
６７      スプリング（付勢部材）
６８      回動阻止手段
６９      軸部材
７１      取っ手部材
７２      押圧面
７４      回動阻止用孔部
７５      孔側係合面（孔側係合部）
７７      回動許容部
７８      回動阻止部
７９      軸側係合面（軸側係合部）
８４，８９，９４，１００    回動阻止手段
Ａ        フィルタ固定位置
Ｂ        フィルタ固定解除位置
Ｄ        回動阻止解除位置
Ｒ        軸部材の回動許容部の半径（回動許容部の軸心から軸外縁までの最大距離）
Ｓ        軸部材の軸心から孔側係合面までの最短距離（軸部材の軸心から孔側係合部までの距離）
Ｔ        軸部材の回動阻止部の軸心から軸外縁までの最大距離
【図１】
0005441344.tif 000002
【図２】
0005441344.tif 000003
【図３】
0005441344.tif 000004
【図４】
0005441344.tif 000005
【図５】
0005441344.tif 000006
【図６】
0005441344.tif 000007
【図７】
0005441344.tif 000008
【図８】
0005441344.tif 000009
【図９】
0005441344.tif 000010
【図１０】
0005441344.tif 000011
【図１１】
0005441344.tif 000012
【図１２】
0005441344.tif 000013
【図１３】
0005441344.tif 000014
【図１４】
0005441344.tif 000015
【図１５】
0005441344.tif 000016
【図１６】
0005441344.tif 000017
【図１７】
0005441344.tif 000018
【図１８】
0005441344.tif 000019
【図１９】
0005441344.tif 000020
【図２０】
0005441344.tif 000021
【図２１】
0005441344.tif 000022
【図２２】
0005441344.tif 000023